(57)【特許請求の範囲】
【請求項１】
火災受信機等の受信部からの信号線に複数の火災感知器が接続されてなる火災報知機において、
上記各火災感知器に対して上記受信部は、常時は上記信号線を介して電源電圧を供給し、火災を検出した火災感知器は、上記信号線にスイッチング動作を行うことにより火災信号を発生し、上記受信部は、該スイッチング動作を検出して火災報知動作を行うものであって、
上記受信部は、試験開始時に上記信号線に対して上記電源電圧とは異なる電位の試験電圧を供給し、上記各火災感知器は、上位から該試験電圧が入力されたときに下位の火災感知器に電源電圧を供給する抑制手段を備えるとともに、
上記各火災感知器は、上記試験電圧を検出するときに試験動作を行い、該試験動作後に上記抑制手段を解除して上記下位の火災感知器に試験電圧を出力することを特徴とする火災報知機。
【請求項２】
信号線の受信部と各火災感知器との間に線路切換器が配置され、点検時には該線路切換器に点検器がコネクタ接続され、上記線路切換器は、上記各火災感知器への上記信号線を上記受信部から切り離して上記点検器へ接続し、上記点検器は、上記信号線に対して電源電圧の供給ができるとともに、試験電圧の出力が行える請求項１の火災報知機。
【発明の詳細な説明】
【０００１】
【発明の属する技術分野】
本発明は、住戸内に点在する火災感知器の試験を住戸外から遠隔に行える火災報知機に関する。
【０００２】
【従来の技術】
従来、火災感知器の動作試験は、感知器の種別により加熱試験器や加煙試験器を用いて熱または煙を実際に加えて試験を行っていた。また、熱や煙を直接加える試験は、人や時間を要し感知器を汚すことになるので、火災感知器内部の回路にテスト電圧を加え、検出部を動作させて模擬的に試験することなど、種々の試験方法がある。
【０００３】
【発明が解決しようとする課題】
住戸に設けられる火災報知機において、点検を行う場合に、そこの住居人が不在の場合がある。例えば、住戸の管理人がある場合には、立ち会いを依頼して住戸内に入ることができるが、手間が係る。一般的には、火災報知機の点検員であっても、住戸内に他人を入れるのは好まれず、点検作業が手間取ることが多い。
【０００４】
そこで、特開平５−３４６９９５号公報には、住戸の外部から個別に火災感知器に点検入力を戸外表示器から行うことを目的として、周波数により特定されたアダプタが感知器に試験電圧を発生させ動作試験する火災報知機が開示されている。しかし、この公報の火災報知機では、個別にアダプタと戸外表示器の信号送出回路の周波数を合わせるために調整する必要があるとともに、試験結果は火災受信機の動作に基づいて鳴動させられる戸外ブザーにより確認を行っていた。
【０００５】
本発明は、住戸の外部から火災感知器の試験を簡便に行える火災報知機を得ることを目的とする。
【０００６】
【課題を解決するための手段】
上記の点に鑑み、本発明は、火災受信機等の受信部からの信号線に複数の火災感知器が接続されてなる火災報知機において、各火災感知器に対して受信部は、常時は信号線を介して電源電圧を供給し、火災を検出した火災感知器は、信号線を略短絡状態等にスイッチング動作を行うことにより火災信号を発生し、受信部がそのスイッチング動作を検出して火災報知動作を行うものであって、受信部は、試験開始時に信号線に対して電源電圧とは異なる電位の試験電圧を供給し、各火災感知器は、上位から試験電圧が入力されたときに下位の火災感知器に電源電圧を供給する抑制手段を備えるとともに、試験電圧を検出するときに試験動作を行い、その後に抑制手段を解除して下位の火災感知器に試験電圧を出力することを特徴とするものである。
【０００７】
したがって、各火災感知器は、試験電圧を検出しても下位へは電源電圧を供給し試験動作後に下位へ試験電圧を供給することで、上位の火災感知器から一つづつ順番に試験動作を行わせることが可能であり、他の火災感知器に火災検出動作を行わせながら、伝送信号や別途の点検線などを用いずとも、個別に試験を行わせることができる。
【０００８】
また、信号線の受信部と各火災感知器との間に線路切換器が配置され、点検時には線路切換器に点検器がコネクタ接続され、線路切換器は、各火災感知器への信号線を受信部から切り離して点検器へ接続し、点検器は、信号線に対して電源電圧の供給ができるとともに、試験電圧の出力が行えるものである。
【０００９】
これにより、受信部としての火災受信機に点検機能がなくても、点検器を用いることにより各火災感知器に試験動作を行わせることが可能であり、線路切換器のコネクタを戸外に設けておくことで、火災報知機自体が住居内にあっても、戸外から点検が行える。
【００１０】
【発明の実施の形態】
以下、本発明の第１の実施形態について説明する。図１はシステムの一実施形態を概略的に示す構成図である。
【００１１】
例えば住戸内の居間に設けられた火災受信機１から引き出されたコモン線２およびライン線３からなる電源兼信号線に、各部屋等に設けられる複数の火災感知器４が順送りによって接続され、その信号線２、３の後端には終端抵抗５が接続されている。
【００１２】
また、信号線２、３の火災受信機１と各火災感知器４との間には、常時はコモン線２およびライン線３を火災受信機１に切り換え接続している線路切換器６が配置されている。また、線路切換器６から火災受信機１側には、点検出力線９が配線されている。
【００１３】
常時は、各火災感知器４は、信号線２、３を通じて火災受信機１から供給される電源によってそれぞれ火災監視動作を行い、火災検出時にはスイッチング動作を行って信号線２、３間を低インピーダンスの略短絡状態とする。火災受信機１は、そのスイッチング動作に基づく略短絡状態を検知して火災報知動作を行う。このとき、火災受信機１は、例えば玄関脇に設けられ接続される戸外表示器１０に火災表示を行ったり、住戸完結型でなく、図示しない住棟受信機が建物全体の監視制御として設けられているときには、必要な火災信号を住棟受信機に出力する。
【００１４】
点検時には、線路切換器６から戸外の例えば戸外表示器１０の側に引き出されたコネクタ１１に、点検器１２がコネクタ接続される。この点検器１２からの点検操作に基づき、線路切換器６は、火災受信機１へ点検出力線９を介して点検開始出力を行い、火災受信機１で点検中を表示させるとともに、各火災感知器４への信号線２、３を、火災受信機１から切り離し、点検器１２へ接続する。この状態において、火災受信機１は、線路切換器６の点検開始出力に基づき点検表示を行い、点検器１２からの戸外点検が可能となる。このとき、各火災感知器４は信号線２、３を通じて点検器１２から供給される電源電圧（ここでは１２Ｖ）によって動作する。
【００１５】
この点検器１２からのモードは３通りであって、入室せずに外部から試験を行い、システム全体の良否を判別する戸外点検モードと、その点検モードで異常が有るときに、入室して異常の火災感知器の場所を特定するための感知器特定モードと、特定の感知器のみを指定する感知器指定モードと、を有する。
【００１６】
図２は、火災感知器４のｎ個接続時の戸外点検モードにおける、信号線３、４への点検器１２の端子Ｃ、Ｌ間への出力、各火災感知器４の端子ＣＩ、ＬＩ間入力、および、点検器１２で端子Ｃ、Ｌ間で検出される波形である。点検器１２は、信号線３、４へ端子Ｃ、Ｌから点検入力としての試験電圧（ここでは２４Ｖ）を印加して図３に示すようなタイミングでの例えば幅５ｍＳで試験電圧から電源電圧へのパルスＡ、Ｂ、Ｃの出力を行う。
【００１７】
各火災感知器４の端子ＬＩ、ＬＯ間は後述するように常時電源電圧から高くならないように電圧抑制が効いていて、図２の波形における１番目の感知器は、端子ＣＩへの試験電圧印加により内蔵するマイコン等による制御回路が立ち上がり、パルスＡ１の立ち下がりにより、点検動作を開始する。この点検動作においては、感知器が光電式煙感知器の場合、通常約３秒間隔の発光、２回の連続検出で火災とするが、クイックチャージを行うとともに、点検用発光ダイオードの発光に基づき１回検出により点検を行う。また、サーミスタ式熱感知器の場合には、サーミスタに固定抵抗を並列に接続することにより点検を行う。さらに、バイメタルや空気室を用いた熱感知器においても、接点機構に閉成動作を行わせて、各々疑似入力方式によって点検を行う。ここで、図３のパルスＡとパルスＢの間隔ＴＷ１は、各火災感知器４が点検動作を行うのに十分な時間、例えば０．５秒である。
【００１８】
そして、１番目の感知器は、その点検結果に基づいて正常であれば、パルスＢ１の立ち下がりから所定時間、端子ＣＩ、ＬＩ間を電源電圧に低下させる（スイッチング動作の代替）。その信号の波形が図２の点検器１２の端子Ｃ、Ｌ間の波形に点検器１２の出力との差異として表れている。対応する図３のパルスＢとパルスＣの間隔ＴＷ２は、点検器１２が動作確認のための点検信号として検出できる時間であればよく、例えば２０ｍＳであり、上記所定時間は２０ｍＳ以下とする。そして、図２のパルスＣ１の立ち下がりの検出時に端子ＬＩ、ＬＯ間の電圧抑制を解除し、その結果、パルスＣ１の送出終了後、２番目の感知器の端子ＬＩには試験電圧が点検入力として印加され、内蔵のマイコンが立ち上がる。対応する図３のパルスＣと次のパルスＡの間隔ＴＷ３は制御回路のためのマイコンの立ち上がり等、点検動作準備に十分な時間が取られ、例えば３０ｍＳである。
【００１９】
そして、図２のパルスＡ２の立ち下がりにより、２番目の感知器が点検動作を開始するが、このときに１番目の感知器は、端子ＬＩからＬＯへの試験電圧の送出と同時に通常と同様の監視動作を行っていて、点検動作は行わない。最終のｎ番目の感知器の点検終了後については、点検器１２は、接続可能な最大個数のタイミングを合計した点検時間の経過をもって全ての感知器の点検終了とし、電源電圧の供給を開始する。各感知器４は、電源電圧の連続供給を検出して端子ＬＩ、ＬＯ間に電圧抑制を効かせて、通常の監視状態に復帰する。
【００２０】
ここで、点検終了については、感知器の接続個数に基づく電流増加で判断してもよく、１０個接続の場合で例えば２．４ｍＡから１．２ｍＡの変化量がある。
【００２１】
このように、戸外点検モードでは、信号線３、４を用いて各感知器４の端子ＬＩに電源電圧よりも高い試験電圧による信号を送り、点検動作後に端子ＬＯから試験電圧を出力するので、確実に個々の火災感知器を順送りに点検動作を行わせ、ｎ番目の感知器まで点検結果に基づく点検信号を点検器１２の端子Ｃ、Ｌ間でパルス出力以外の電圧として検出することにより、点検動作が正常に完了した感知器の個数や異常の感知器が何番目かが把握できる。また、同一の信号線２、３に接続された点検中以外の火災感知器は、電源兼信号線２、３を通じて電源電圧が供給されているので、火災監視を続行していて、火災を検出した感知器は通常の火災信号を発することができる。点検器１２は、スイッチング動作による略短絡状態（代替しない場合には、図３におけるパルスＢ、Ｃの間隔ＴＷ２に同期しないスイッチング動作）の検出により、火災と判別する。
【００２２】
次に、上記戸外点検モードで異常が有るときに異常の火災感知器の場所を特定するための感知器特定モードについて説明する。このときの間隔を表す波形を図４に示す。
【００２３】
各火災感知器４の端子ＧＩ、ＧＯ間は、上記戸外点検モードの終了後等で電圧抑制が効いていて、点検器１２は、上記図２同様にパルス幅が５ｍＳのパルスＡ１〜Ｃｎを出力する。
【００２４】
１番目の感知器は、端子ＧＩへの電圧印加により内蔵するマイコンが立ち上がり、パルスＡ１の立ち下がりにより点検動作を開始する。そして、図４に示すように、感知器特定モードのパルスＡとパルスＢとの間隔ＴＷ４は、例えば２０ｍＳのように、上記戸外点検モードとは異なりパルスＢがすぐに発信される。そのパルスＢの短いタイミングによる検出により、感知器は点検動作を中断してマイコンに格納されている直前の戸外点検モードによる点検結果から、異常でなければパルスＢの立ち下がりから所定時間、確認灯を点灯する。この動作間隔ＴＷ５は、室内で感知器の特定を行うのに確認灯が視覚的に十分確認できる時間、例えば０．５秒であり、上記所定時間は０．５秒以下とする。この所定時間には、パルスＢ当初に待ち時間が設定され、後述の指定モードとの違いを検出できるようにする。そして、上記戸外点検モードと同様、パルスＣ１の立ち下がりの検出時に、１番目の感知器は端子ＬＯから電源電圧を送出し、次の感知器の端子ＬＩには点検入力として試験電圧が印加され、同様に内蔵のマイコンが立ち上がる。なお、パルスＣと次のパルスＡの間隔ＴＷ３は上記と同様である。
【００２５】
このように、感知器特定モードでは、直前の戸外点検モードの結果を利用して、ｎ番目の感知器まで点検結果に基づく確認灯の点灯を各火災感知器４に行わせるものである。すなわち、戸外点検モードで異常の感知器の存在やその番号がわかっても、具体的に位置を特定することはできず、詳細な設備のデータがあっても実際の配線が異なる場合もある。したがって、感知器特定モードは、正常な感知器は点灯して異常の感知器は点灯しないことを目視でき、具体的な位置での正常な感知器を確認するには有効な手段である。また、戸外点検モードと同様、点検中以外の感知器が火災監視を続行していることはもちろんである。
【００２６】
次に、特定された異常の火災感知器の場所を確認するための感知器指定モードについて説明する。このときの波形を、図３、図４と同様に図５に示す。このモードでは、点検器１２に確認する感知器が何番目かを指定し（例えば２番目）、点検器１２は、指定された感知器のみ図４と同様のタイミングでパルス出力を行い、他の感知器に対しては図５に示すように、パルスＢとパルスＣの間隔を例えば２０ｍＳのように短くする。
【００２７】
各火災感知器４の端子ＬＩ、ＬＯ間は、上記各モードと同様、常時電圧抑制が効いている。上記同様パルス幅が上記同様５ｍＳのパルスＡ１〜Ｃｎを出力する。感知器は端子ＬＩへの試験電圧印加により内蔵するマイコンが立ち上がり、パルスＡの立ち下がりにより点検動作を開始する。そして、パルスＢがすぐに発信され、点検動作を中断して直前の戸外点検モードの点検結果から、パルスＢの立ち下がりから待ち時間内にパルスＣが立ち下がり、確認灯を点灯しない。この動作時間について、２番目の感知器に対するパルスＢ２、Ｃ２間は室内で感知器の特定を行うのに確認灯が視覚的に十分確認できる時間である。２番目以外の感知器（１番目やｎ番目）については、図５に示すタイミングで点検器１２からパルス出力が行われ、早いタイミングにより順送りが行われる。
【００２８】
このように、感知器指定モードでは、感知器特定モードと同様に、戸外点検モードの結果を利用して、ｎ番目の感知器まで点検結果に基づく確認灯の点灯を各火災感知器４に行わせるが、指定される感知器のみを十分な時間確認灯を点灯させ、他の感知器は短縮する。したがって、感知器指定モードは、異常の感知器であることを確認するには有効な手段である。また、他のモードと同様、点検中以外の感知器が火災監視を続行していることはもちろんである。
【００２９】
図６は、図１のシステムに使用される火災感知器４の概略回路図である。
【００３０】
火災感知器４は、電源兼信号線２、３がそれぞれ接続される端子ＣＩ、ＬＩを電源として、安定した電圧および電流を供給する定電圧回路Ｂ２と、抵抗とコンデンサとの充電時定数に基づきマイコンに割り込み入力を行う図示しない発振回路やマイコン等による制御回路Ｂ３と、サーミスタの温度特性により火災による熱を検出するなどのセンサ回路Ｂ４と、制御回路Ｂ３により火災と判別されるときに端子ＣＩ、ＬＩ間を低インピーダンスの略短絡状態にスイッチングするとともに、図示しない確認灯を点灯する火災出力回路Ｂ１と、を有し、さらに、点検動作を行うために信号線３の入力側が接続される端子ＬＩからの試験電圧の入力を検出する試験信号受信回路Ｂ６と、信号線３の出力側が接続される端子ＬＯへ端子ＬＩからの試験電圧の出力を常時抑制して自己の点検終了後に試験電圧の出力を行うための電圧抑制回路Ｂ７と、点検動作時に制御回路Ｂ３の制御に基づいてセンサ回路Ｂ４へ試験動作を行わせる試験回路Ｂ５と、を有する。
【００３１】
次に、サーミスタを用いる場合の制御回路Ｂ３による点検動作は、疑似的な高温度状態を形成するため、センサ回路Ｂ４においてサーミスタに例えば抵抗を並列に接続することにより、疑似的に高温度状態を検出することができる。そして、その結果に基づき、制御回路Ｂ３は火災と判断し、火災出力回路Ｂ１をオンして、端子ＣＩ、ＬＩ間をスイッチング動作し、同時に発光ダイオードによる確認灯を点灯させる。このスイッチング動作のタイミングは、上述のシステムの点検動作に合わせて、所定のタイミングで行われ、点検時には通常の電源電圧を出力する。このように、点検入力に基づいて、疑似的に高温度を検出させることが可能であり、点検動作を簡便に行うことができる。このときにマイコン等の詳細に示さない内蔵する記憶手段に上記点検結果を格納する。
【００３２】
この点検出力の後、制御回路Ｂ３は、受信部側からの次の感知器への試験電圧の入力が可能になる順送り動作を行うが、このときに、電圧抑制回路Ｂ７へ電圧抑制動作を停止させるための出力を行う。その結果、端子ＬＩに入力されている点検入力の試験電圧が端子ＬＯを介して次の感知器に流れ、次の感知器が上記同様に点検動作を行うことになる。そして、この動作の後、制御回路Ｂ３は、端子ＬＩに試験電圧が継続し試験信号受信回路Ｂ６の出力が継続し、それを監視しながら火災監視を行う通常動作を行う。電圧抑制を常時効かせる場合には、すべての点検動作の終了後、端子ＬＩに入力される電圧が電源電圧になるときに、制御回路Ｂ３は、電圧抑制回路Ｂ７への出力を停止して、電圧抑制を効かせる。この電圧抑制は、自己の点検中効いていれば十分である。
【００３３】
そして、試験信号受信回路Ｂ６および電圧抑制回路Ｂ７の実回路例について図７および図８に示す。
【００３４】
図７の試験信号受信回路Ｂ６では、電源電圧と試験電圧との間の例えば１８Ｖのツェナー電圧を有するツェナーダイオードＺ１が設けられ、ツェナー電圧に約０．６Ｖを加えた電位が入力されると、常時オフしているトランジスタＱ４、Ｑ５がオンして図示しない電圧変換バッファを介して制御回路Ｂ３への信号入力が行われる。制御回路Ｂ３はこの信号の入力により、自己の点検動作を開始する。
【００３５】
また、図８の電圧抑制回路Ｂ７では、常時トランジスタＱ２はオンされていて、端子ＬＩから端子ＬＯへはほぼそのままの電圧（電源電圧）が供給されている。試験信号受信回路Ｂ６からの入力を検出した制御回路Ｂ３は、そのままでは、次の感知器にも試験電圧が入力されてしまうので、常時トランジスタＱ２のベース電圧を維持しているトランジスタＱ３をオフしてトランジスタＱ２をオフする。これにより、トランジスタＱ１とツェナーダイオードＺ２との組み合わせが電圧抑制を行い、端子ＬＯにはツェナーダイオードＺ２のツェナー電圧、例えば１３Ｖより約０．６Ｖ低い定電圧が出力され、次の感知器へはほぼ電源電圧を供給する。むろんツェナーダイオードＺ１、Ｚ２のツェナー電圧を選定することで、端子ＬＯから次の感知器の試験信号受信回路は動作させない。そして、点検終了時に制御回路Ｂ３はトランジスタＱ２を再びオンにし、電圧抑制回路Ｂ７を解除して試験電圧を端子ＬＯから次の感知器の端子ＬＩへ入力させる。この電圧抑制回路Ｂ７のトランジスタＱ２によるドロップ電圧は０．２Ｖ程度であるが、最大接続数を１０台程度にしておけば最遠端の感知器にも十分な電源電圧を維持できる。
【００３６】
以上、図１のシステムに使用される火災感知器４の具体例としてのサーミスタ式熱感知器について説明してきたが、その他の種類の例えば光電式煙感知器や炎感知器等を用いることができるが、そのときに、このシステムに必要な回路を設けておく必要がある。
【００３７】
図９は、図１のシステムに使用される点検器１２および点検器１２が接続される線路切換器６の簡略的なブロック回路図である。
【００３８】
点検器１２は、マイコン等を利用したコントロール回路Ｂ１６により全体が制御され、電圧制限回路Ｂ１７に接続された端子Ｌを介してライン線３から各感知器４に電源電圧または試験電圧が供給され、コントロール回路Ｂ１６の制御によりパルス送出を行う発振回路Ｂ１８が設けられている。また、端子ＬＰを介して火災受信機１の信号線２、３に抵抗Ｒｐによって疑似的に終端抵抗電位を与えるトランジスタ等によるスイッチ回路Ｂ２１と、端子ＳＴを介して線路切換器６に線路切換動作を行わせるとともに、火災受信機１に点検開始入力を与えるトランジスタ等によるスイッチ回路Ｂ２２と、コントロール回路Ｂ１６に接続された各種スイッチおよび表示灯等からなる表示操作部Ｂ２３と、電圧制限回路Ｂ１７を介して信号線２、３に接続される各感知器４および点検器１２の電源となる蓄電池等による電源Ｂ２４が設けられている。
【００３９】
また、線路切換器６は、端子ＳＴｔおよび端子ＳＴを介して火災受信機１へ入力される点検器１２からの点検開始入力を検知して接点ｒ１、ｒ２をそれぞれｂからａに切り換えるリレーユニットＢ２５からなり、常時火災受信機１への端子ＬＩに接続されている各感知器４への端子ＬＯは、接点ｒ１のｂからａへの切り換えにより、点検器１２への端子Ｌｔに接続され、同時に、火災受信機１への端子ＬＩは、接点ｒ２のｂからａへの切り換えにより、点検器１２への端子ＬＰｔに接続される。その他、コモン線２に接続される端子ＣＩから端子ＣＯ、さらに点検器１２からの端子Ｃｔについても常時接続状態である。
【００４０】
この点検器１２の操作について、図１０の表示操作部Ｂ２３のイメージ図を用い、上記システム全体の戸外点検モードについて説明する。図１に示すように、点検器１２を戸外からコネクタ１１に接続した後、表示操作部Ｂ２３の電源スイッチＳ１を操作する。すると、点検器１２のコントロール回路Ｂ１６は、スイッチ回路Ｂ２１、Ｂ２２に動作出力を行って、端子ＳＴを介して線路切換器６のリレーユニットＢ２５を火災受信機１側の電源によって動作させるとともに、火災受信機１に点検開始入力を与える。このリレーユニットＢ２５の動作により、各感知器４からの信号線２、３は、火災受信機１から点検器１２に切り換えられ、火災受信機１の信号線２、３は、点検器１２の抵抗Ｒｐにより疑似的に終端抵抗によるインピーダンスが与えられ、火災受信機１の断線表示を行わせない。
【００４１】
この状態で、表示操作部Ｂ２３の点検開始スイッチＳ２を操作すると、戸外点検モードによる点検動作が開始されるが、選択スイッチＳ４を操作することにより、モードを順次選択することが可能である。そのモードは、モード表示灯Ｌ１７〜Ｌ１９により表示される。そして、戸外点検モードにより点検開始スイッチＳ２を操作すると、点検中灯Ｌ１４を点灯させるとともに、コントロール回路Ｂ１６の制御により戸外点検モードによる点検動作がスタートする。
【００４２】
先ず、番号ｎを１として、電源電圧を供給している電圧制限回路Ｂ１７を動作させて端子Ｌに点検入力としての試験電圧供給を開始する。端子Ｌの状態を確認した後、図３に示される間隔ＴＷ３のタイミングである時間１の待機後にパルスＡの出力、さらに間隔ＴＷ１のタイミングである時間２の待機後パルスＢの出力を行い、点検結果の有無を端子Ｌ、Ｃ間の電圧をＡＤ変換してコントロール回路Ｂ１６に取り込んで検出する。この点検結果の信号の有無で点検結果があれば、ｎ番の感知器が正常であると判断して、番号ｎに対応した表示灯Ｌ１〜Ｌ１０を点灯させ、点検結果を図示しないコントロール回路Ｂ１６内のＲＡＭ等の記憶手段に格納し、間隔ＴＷ２のタイミングである時間３の間待機して、パルスＣの出力を行う。そして、番号ｎを１インクリメントして、番号ｎが１０を超えないことを確認して上記動作を繰り返す。
【００４３】
上記動作を繰り返すことにより、信号線２、３に接続された各感知器４に順次点検動作を行わせることができるが、本実施形態では後端の感知器の動作が終了するまで、１０個分の点検時間を設定しておけばよく、タイマ設定しておくことにより点検動作を終了したとして正常終了の動作を行う。この正常終了の動作は、格納した点検結果から点検信号の得られなかった番号があれば表示灯Ｌ１〜Ｌ１０の該当する表示灯を点滅させるとともに異常終了灯Ｌ１２を点灯し、異常がなければ正常終了灯Ｌ１１を点灯する。そして、電圧制限回路Ｂ１７への出力を停止して端子Ｌへの試験電圧供給を停止し、点検動作を終了して点検中灯Ｌ１４を消灯する。その結果、表示操作部Ｂ１８の表示灯Ｌ１〜Ｌ１０によって、点灯している番号は正常であり、点滅している番号は異常であることが認識できる。また、点検を行うときに、端子Ｌ、Ｃ間の電圧が正常でないことをコントロール回路Ｂ１６が検出したときに、異常中断灯Ｌ１３を点灯して終了する。同様に、番号ｎを１インクリメントした結果が１０以上になるときは、同様に異常終了とする。これは、点検できる感知器の個数が１０個を上限としているので、１１番目の感知器が存在しているときには異常とするものである。この点検できる個数は、任意である。さらに、点検動作を行っていない感知器が火災を検出した場合、端子Ｌ、Ｃ間の電圧が略短絡状態になり、端子Ｌの電位低下が連続的に発生する。その場合、点検器１２は火災終了としてスイッチ回路Ｂ２１、Ｂ２２をオフし、その結果、火災受信機１において火災信号を検出することが可能になる。
【００４４】
上記のような動作により戸外点検モードによる点検動作が行われるが、選択スイッチＳ４を操作することにより、モードを順次選択することが可能である。そして各モードにおいても動作のステップは戸外点検モードと同一である。そして、モードにより異なる点は、時間の長さだけであり、時間１は各モード共通で間隔ＴＷ３（図３）、時間２は戸外点検モードで間隔ＴＷ１（図３）、感知器特定モードおよび感知器指定モードで間隔ＴＷ４（図４）、時間３は戸外点検モードで間隔ＴＷ２（図３）、感知器特定モードおよび感知器指定モードの指定された感知器の場合で間隔ＴＷ５（図４）、感知器指定モードの指定されない感知器の場合で間隔ＴＷ６（図５）となる。
【００４５】
上記実施形態では、各感知器４の点検動作は、点検器１２のパルスに合わせて動作および点検信号送出を行っているが、各感知器４において端子ＬＩの入力に基づき感知器内部でタイミングをとって同じ動作を行ってもよい。その場合には点検器１２は、点検信号を順次受信するだけでよいが、パルスに合わせて各感知器４に応答させることにより、点検器１２の点検信号検出を確実に行うことができる。また、点検器１２を火災受信機１と一体に構成してもよく、コネクタ１１を火災受信機１からや戸外表示器１０を通して引き出してもよい。
【００４６】
次に、本発明の第２の実施形態について説明する。この第２の実施形態においてシステムを概略的に示す構成図は第１の実施形態と同様であり、説明を省略する。
【００４７】
図１１は、第２の実施形態における火災感知器４のｎ個接続時の戸外点検モードにおける、信号線３、４への点検器１２の端子Ｃ、Ｌ間への出力、各火災感知器４の端子ＣＩ、ＬＩ間入力、および、点検器１２で端子Ｃ、Ｌ間で検出される波形である。点検器１２は、信号線３、４へ端子Ｃ、Ｌから点検入力としての電源電圧（ここでは２４Ｖ）から試験電圧（ここでは１２Ｖ）を印加して第１実施形態の図３同様のタイミングでの例えば幅５ｍＳで試験電圧から電源電圧へのパルスＡ、Ｂ、Ｃの出力を行う。
【００４８】
各火災感知器４の端子ＬＩ、ＬＯ間は後述するように電源電圧から低下しないように電圧維持が効いていて、図１１の波形における１番目の感知器は、端子ＬＩへの試験電圧印加により内蔵するマイコン等による制御回路が立ち上がり、パルスＡ１の立ち下がりにより、点検動作を開始する。この点検動作においては、感知器が光電式煙感知器の場合、通常約３秒間隔の発光、２回の連続検出で火災とするが、クイックチャージを行うとともに、点検用発光ダイオードの発光に基づき１回検出により点検を行う。また、サーミスタ式熱感知器の場合には、サーミスタに例えば固定抵抗を並列に接続することにより点検を行う。さらに、バイメタルや空気室を用いた熱感知器においても、接点機構に閉成動作を行わせて、各々疑似入力方式によって点検を行う。ここで、パルスＡとパルスＢの間隔ＴＷ１は、図３同様、各火災感知器４が点検動作を行うのに十分な時間、例えば０．５秒である。
【００４９】
そして、１番目の感知器は、その点検結果に基づいて正常であれば、パルスＢ１の立ち下がりから所定時間、端子ＣＩ、ＬＩ間をスイッチングする。その信号の波形が図１１の点検器１２の端子ＣＯ、ＬＯ間の入力波形にスイッチング時の火災検出電圧として現れている。パルスＢとパルスＣの間隔ＴＷ２は、図３同様、点検器１２が動作確認のための点検信号として検出できる時間であればよく、例えば２０ｍＳである。そして、図１１のパルスＣ１の立ち上がりの検出時に端子ＬＩ、ＬＯ間の電圧維持を解除し、その結果、パルスＣ１の送出終了後、２番目の感知器の端子ＬＩには試験電圧が点検入力として印加され、内蔵のマイコンが立ち上がる。パルスＣと次のパルスＡの間隔ＴＷ３は、図３同様、制御回路のためのマイコンの立ち上がり等、点検動作準備に十分な時間が取られ、例えば３０ｍＳである。
【００５０】
上記のような、戸外点検モードによる点検動作が行われるが、第１の実施形態と同様に、モードを順次選択することが可能で、モードにより異なる点は、時間の長さだけとなる。
【００５１】
このように、第２の実施形態では、第１の実施形態での電源電圧と試験電圧との電位を逆に用いたものであり、入出力波形としては、電源電圧および試験電圧は火災感知器の動作が可能であることと、両者を区別できることができれば、どちらが高くてもよい。また、通常スイッチング動作は、信号線間を略短絡状態にすることが多いが、第１の実施形態のように電源電圧と同じにしてもよく、点検結果としては、正常異常の区別ができれば何れの電位であってもよい。すなわち、受信部側の出力している電圧以外の電圧が検出できれば、受信部側としては点検結果を識別でき、第１および第２の実施形態の場合には、受信部側の出力するパルスのタイミング以外の時間の電位でも点検結果を検出することができる。
【００５２】
図１２は、第２の実施形態のシステムに使用される火災感知器４１の概略回路図である。
【００５３】
火災感知器４１は、電源兼信号線２、３がそれぞれ接続される端子ＣＩ、ＬＩを電源として、定電圧回路Ｂ２と、制御回路Ｂ３と、センサ回路Ｂ４と、火災出力回路Ｂ１と、試験回路Ｂ５とを有することは、第１の実施形態と同様であり、試験信号受信回路Ｂ６および電圧抑制回路Ｂ７の代わりに試験信号受信電源切替回路Ｂ９を有する。
【００５４】
次に、端子ＬＩに試験電圧が供給されると、試験信号受信電源切替回路Ｂ９がその電位を検出して、制御回路Ｂ３に点検入力を行うとともに、試験信号受信電源切替回路Ｂ９内に設けられた図示しないコンデンサの電荷を端子ＬＯから出力させ、電圧抑制（維持）を行う。その結果、下位の火災感知器の端子ＬＩへは、電源電圧が継続されることとなり、試験電圧を受けた火災感知器のみが試験動作を行うことができる。このコンデンサには下位の信号線３に十分な電源となるものが選択されるが、容量的にはそれほど必要でなく、自己の点検動作中を賄える範囲で十分である。
【００５５】
そして、点検出力の後、制御回路Ｂ３は、受信部側からの次の感知器への試験電圧の入力が可能になる順送り動作を行うが、このときに、試験電圧受信電源切替回路Ｂ９へ電圧抑制動作を停止させるための出力を行う。その結果、端子ＬＩに入力されている点検入力の試験電圧が端子ＬＯを介して次の感知器に流れ、次の感知器が上記同様に点検動作を行うことになる。そして、この動作の後、制御回路Ｂ３は、端子ＬＩに試験電圧が継続し試験信号受信回路Ｂ６の出力が継続し、それを監視しながら火災監視を行う通常動作を行う。
【００５６】
以上のように、本発明は、火災受信機等の受信部からの信号線に複数の火災感知器が接続されてなる火災報知機において、各火災感知器に対して受信部は、常時は信号線を介して電源電圧を供給し、火災を検出した火災感知器は、信号線を略短絡状態等にスイッチング動作を行うことにより火災信号を発生し、受信部がそのスイッチング動作を検出して火災報知動作を行うものであって、受信部は、試験開始時に信号線に対して電源電圧とは異なる電位の試験電圧を供給し、各火災感知器は、上位から試験電圧が入力されたときに下位の火災感知器に電源電圧を供給する抑制手段を備えるとともに、試験電圧を検出するときに試験動作を行い、その後に抑制手段を解除して下位の火災感知器に試験電圧を出力することを特徴とするものである。
【００５７】
したがって、各火災感知器は、試験電圧を検出しても下位へは電源電圧を供給し試験動作後に下位へ試験電圧を供給することで、上位の火災感知器から一つづつ順番に試験動作を行わせることが可能であり、伝送信号や別途の点検線などを用いずとも、他の火災感知器には火災検出動作を行わせながら、個別に試験を行わせることができる。
【００５８】
また、信号線の受信部と各火災感知器との間に線路切換器が配置され、点検時には線路切換器に点検器がコネクタ接続され、線路切換器は、各火災感知器への信号線を受信部から切り離して点検器へ接続し、点検器は、信号線に対して電源電圧の供給ができるとともに、試験電圧の出力が行えるものである。
【００５９】
これにより、受信部としての火災受信機に点検機能がなくても、点検器を用いることにより各火災感知器に試験動作を行わせることが可能であり、線路切換器のコネクタを戸外に設けておくことで、火災報知機自体が住居内にあっても、戸外から点検が行える。
【図面の簡単な説明】
【図１】第１の実施形態におけるシステムを概略的に示す構成図。
【図２】第１の実施形態の戸外点検モードにおける信号波形図。
【図３】図２のパルスのタイミングを示す信号波形図。
【図４】感知器特定モードのパルスのタイミングを示す信号波形図。
【図５】感知器指定モードのパルスのタイミングを示す信号波形図。
【図６】図１の火災感知器を概略的に示すブロック回路図。
【図７】図６の試験信号受信回路の具体的な回路図。
【図８】図６の電圧抑制回路の具体的な回路図。
【図９】図１の点検器および線路切換器を概略的に示すブロック回路図。
【図１０】図９の表示操作部を概略的に示すイメージ図。
【図１１】第２の実施形態の戸外点検モードにおける信号波形図。
【図１２】第２の実施形態の火災感知器を概略的に示すブロック回路図。
【符号の説明】
１  火災受信機
２、３  信号線
４  火災感知器
１２  点検器
Ｂ６  試験信号受信回路
Ｂ７  電圧抑制回路
Ｂ９  試験信号受信電源切替回路
【図１】
0003602284.tif 000002
【図２】
0003602284.tif 000003
【図３】
0003602284.tif 000004
【図４】
0003602284.tif 000005
【図５】
0003602284.tif 000006
【図６】
0003602284.tif 000007
【図７】
0003602284.tif 000008
【図８】
0003602284.tif 000009
【図９】
0003602284.tif 000010
【図１０】
0003602284.tif 000011
【図１１】
0003602284.tif 000012
【図１２】
0003602284.tif 000013